(57)【要約】【課題】  任意の作業テーブル上で容易に使用することが可能な集塵機を提供すること。【解決手段】  各種作業を行うテーブル上に搬送・設置され作業空間を区画・形成する集塵機本体と、上記集塵機本体内に内装された集塵ファンと、上記集塵機本体内に内装され上記集塵ファンを回転駆動する駆動モータと、を具備したものであり、よって、任意のテーブルにおいて各種作業を行っている場合に、そこに本考案の集塵機を持ち込んで設置するだけで、作業空間を区画・形成することができ、且つ、必要な集塵機能を発揮させることができる。【選択図】  図２
0003149081.tif 000002
【実用新案登録請求の範囲】
【請求項１】
各種作業を行う任意の作業テーブル上に搬送・設置され作業空間を区画・形成すると共にその作業空間内で発生した粉塵を含んだ空気を吸引する吸引口と粉塵を除去する集塵フィルタを有する排気口を備えた集塵機本体と、上記集塵機本体内に内装された集塵ファンと、上記集塵機本体内に内装され上記集塵ファンを回転駆動する駆動モータと、を具備したことを特徴とする集塵機。
【請求項２】
請求項１記載の集塵機において、
上記集塵機本体には上記集塵ファンと駆動モータが区画された状態で内装される機械室が設置されていることを特徴とする集塵機。
【請求項３】
請求項２記載の集塵機において、
上記機械室の手前側には透明カバーが設置されていて、この透明カバーと機械室との間の空間が作業空間であることを特徴とする集塵機。
【請求項４】
請求項３記載の集塵機において、
上記集塵機本体は一対の側面板を備えていて、上記機械室は、この一対の側面板と、この一対の側面板の奥側に設置された背面板と、上記一対の側面板の天井側に設置された天井板と、上記透明カバーの奥側に設置された仕切板と、上記仕切板と上記背面板との間に設置された底板と、から構成されていて、上記底板には上記吸気孔が形成されていると共に、上記一対の側面板には排気口が形成されていることを特徴とする集塵機。
【請求項５】
請求項４記載の集塵機において、
上記一対の側面板の手前側部分は奥側から手前側に向かってその高さが徐々に低くなるように傾斜した状態で構成されていて、上記透明カバーはその傾斜部に着脱可能に設置されているものであることを特徴とする集塵機。
【請求項６】
請求項５記載の集塵機において、
上記透明カバーは上記一対の側面板の傾斜部における取付位置を変更できるように構成されていることを特徴とする集塵機。
【請求項７】
請求項６記載の集塵機において、
上記透明カバーの手前側端には透明垂直カバーが連設されていることを特徴とする集塵機。
【請求項８】
請求項４記載の集塵機において、
上記吸気口には手入れ防止金網が取り付けられていることを特徴とする集塵機。
【請求項９】
請求項４記載の集塵機において、
上記背面板が設置されている背面側には作業空間内にネールアートを目的として手を差し入れるためのネールアート用開口部が設けられていることを特徴とする集塵機。
【考案の詳細な説明】
【技術分野】
【０００１】
本考案は、集塵機に係り、特に、任意の作業テーブル上で、例えば、エアーブラシを使用した塗装作業を行うような場合に、作業空間を容易に区画・形成すると共に必要な集塵機能を発揮することができるように工夫したものに関する。
【背景技術】
【０００２】
例えば、任意のテーブル上において、プラモデル等の玩具に対して、エアーブラシを使用した塗装を施したい場合がある。このような場合には、集塵機を備えた特殊な作業テーブルが使用されている。
その種の作業テーブルの構成を開示するものとして、例えば、特許文献１、特許文献２等がある。
【特許文献１】実開平７−３７５８４号公報
【特許文献２】特開２００５−９５７０８号公報
【考案の開示】
【考案が解決しようとする課題】
【０００３】
上記従来の構成によると次のような問題があった。
まず、従来の集塵機を備えた作業テーブルは、その構成が比較的大掛かりであり、よって、どのような場所においても使用できるようなものではなかった。
【０００４】
本考案はこのような点に基づいてなされたものでその目的とするところは、任意の作業テーブル上で容易に使用することが可能な集塵機を提供することにある。
【課題を解決するための手段】
【０００５】
上記目的を達成するべく本願考案の請求項１による集塵機は、各種作業を行う任意の作業テーブル上に搬送・設置され作業空間を区画・形成すると共にその作業空間内で発生した粉塵を含んだ空気を吸引する吸引口と粉塵を除去する集塵フィルタを有する排気口を備えた集塵機本体と、上記集塵機本体内に内装された集塵ファンと、上記集塵機本体内に内装され上記集塵ファンを回転駆動する駆動モータと、を具備したことを特徴とするものである。
又、請求項２による集塵機は、請求項１記載の集塵機において、上記集塵機本体には上記集塵ファンと駆動モータが区画された状態で内装される機械室が設置されていることを特徴とするものである。
又、請求項３による集塵機は、請求項２記載の集塵機において、上記機械室の手前側には透明カバーが設置されていて、この透明カバーと機械室との間の空間が作業空間であることを特徴とするものである。
又、請求項４による集塵機は、請求項３記載の集塵機において、上記集塵機本体は一対の側面板を備えていて、上記機械室は、この一対の側面板と、この一対の側面板の奥側に設置された背面板と、上記一対の側面板の天井側に設置された天井板と、上記透明カバーの奥側に設置された仕切板と、上記仕切板と上記背面板との間に設置された底板と、から構成されていて、上記底板には上記吸気孔が形成されていると共に、上記一対の側面板には排気口が形成されていることを特徴とするものである。
又、請求項５による集塵機は、請求項４記載の集塵機において、上記一対の側面板の手前側部分は奥側から手前側に向かってその高さが徐々に低くなるように傾斜した状態で構成されていて、上記透明カバーはその傾斜部に着脱可能に設置されているものであることを特徴とするものである。
又、請求項６による集塵機は、請求項５記載の集塵機において、上記透明カバーは上記一対の側面板の傾斜部における取付位置を変更できるように構成されていることを特徴とするものである。
又、請求項７による集塵機は、請求項６記載の集塵機において、上記透明カバーの手前側端には透明垂直カバーが連設されていることを特徴とするものである。
又、請求項８による集塵機は、請求項４記載の集塵機において、上記吸気口には手入れ防止金網が取り付けられていることを特徴とするものである。
又、請求項９による集塵機は、請求項４記載の集塵機において、上記背面板が設置されている背面側には作業空間内にネールアートを目的として手を差し入れるためのネールアート用開口部が設けられていることを特徴とするものである。
【考案の効果】
【０００６】
以上述べたように本願考案の請求項１による集塵機は、各種作業を行う任意の作業テーブル上に搬送・設置され作業空間を区画・形成すると共にその作業空間内で発生した粉塵を含んだ空気を吸引する吸引口と粉塵を除去する集塵フィルタを有する排気口を備えた集塵機本体と、上記集塵機本体内に内装された集塵ファンと、上記集塵機本体内に内装され上記集塵ファンを回転駆動する駆動モータと、を具備した構成になっているので、まず、任意のテーブルにおいて各種作業を行っている場合に、そこに本考案の集塵機を持ち込んで設置するだけで、作業空間を区画・形成することができ、且つ、必要な集塵機能を発揮させることができる。
又、請求項２による集塵機は、請求項１記載の集塵機において、上記集塵機本体には上記集塵ファンと駆動モータが区画された状態で内装される機械室が設置されているので、作業空間を安全な状態で確実に提供することができる。
又、請求項３による集塵機は、請求項２記載の集塵機において、上記機械室の手前側には透明カバーが設置されていて、この透明カバーと機械室との間の空間が作業空間であるので、作業空間内を容易に視認しながら作業を行うことができる。
又、請求項４による集塵機は、請求項３記載の集塵機において、上記集塵機本体は一対の側面板を備えていて、上記機械室は、この一対の側面板と、この一対の側面板の奥側に設置された背面板と、上記一対の側面板の天井側に設置された天井板と、上記透明カバーの奥側に設置された仕切板と、上記仕切板と上記背面板との間に設置された底板と、から構成されていて、上記底板には上記吸気孔が形成されていると共に、上記一対の側面板には排気口が形成されているので、比較的簡単な構成で所望の機械室ひいては作業空間を提供することができる。
又、請求項５による集塵機は、請求項４記載の集塵機において、上記一対の側面板の手前側部分は奥側から手前側に向かってその高さが徐々に低くなるように傾斜した状態で構成されていて、上記透明カバーはその傾斜部に着脱可能に設置されているので、作業空間と作業者の目の位置が接近することになり、作業性を向上させることができる。
又、請求項６による集塵機は、請求項５記載の集塵機において、上記透明カバーは上記一対の側面板の傾斜部における取付位置を変更できるように構成されているので、作業の種類に応じて最適な位置に透明カバーを設置することができる。
又、請求項７による集塵機は、請求項６記載の集塵機において、上記透明カバーの手前側端には透明垂直カバーが連設されているので、作業空間内で発生した粉塵の外部への飛散を確実に防止することができる。
又、請求項８による集塵機は、請求項４記載の集塵機において、上記吸気口には手入れ防止金網が取り付けられているので、安全性を高めることができる。
又、請求項９による集塵機は、請求項４記載の集塵機において、上記背面板が設置されている背面側には作業空間内にネールアートを目的として手を差し入れるためのネールアート用開口部が設けられているので、そのままネールアートを行うテーブル上に設置すれば、ネールアート用の集塵機として使用することができる。
【考案を実施するための最良の形態】
【０００７】
以下、図１乃至図９を参照して本考案の一実施の形態を説明する。まず、集塵機本体１があり、この集塵機本体１は、一対の側面板３、３を備えている。上記一対の側面板３、３の間であって奥側（図１中右側）には背面板５が設置されている。又、上記一対の側面板３、３の間であって天井側（図２上側）には天井板７が設置されている。又、上記一対の側面板の間であって手前側には透明カバー９が設置されている。又、上記一対の側面板３、３の間であって、上記背面板５と透明カバー９との間には仕切板１１が設置されていると共に、この仕切板１１の下端と上記背面板５との間には底板１２が設置されている。この底板１２には、図３に示すように、吸気口１４が形成されていると共に、この吸気口１４には手入れ防止金網１６が取り付けられている。
【０００８】
上記一対の側壁板３、３の手前側部分は奥側から手前側に向かってその高さが徐々に低くなるように傾斜された状態で形成されていて、既に説明した透明カバー９はこの傾斜部分に設置されている。又、透明カバー９は手前側端に透明垂直カバー１３を備えている。この実施の形態では上記透明垂直カバー１３は透明カバー９の先端を折り曲げて形成されている。その際、一対の側面板３、３との間に入るように若干さの幅が狭められている。又、上記透明カバ―９の左右両端部には図示しない取付用穴が形成されていて、一方、一対の側面板３、３側には図示しない突起が設けられている。上記透明カバー９は上記取付用穴を突起に係合させることにより一対の側面板３、３に着脱可能に取り付けられている。又、上記取付用穴は異なる複数個所に設けられているので、任意の取付穴を選択することにより、透明カバー９と透明垂直カバ１３を一対の側面板３、３の傾斜面に沿った任意の位置に取り付けることができるように構成されている。
【０００９】
上記一対の側面板３、３、背面板５、天井板７、仕切板１１、底板１２によって区画された機械室内に、集塵ファン１５と駆動モータ１７が内装されている。上記集塵ファン１５と駆動モータ１７は、図２及び図５に示すように、縦型の状態で配置されていて、図２中下方から吸引した側方に吐き出すように動作する。又、上記集塵ファン１５の左右両側の上記側面板３、３の排気口１８、１８には集塵フィルタ１９、１９が夫々着脱可能に設置されている。上記集塵フィルタ１９の外側には集塵フィルタ用カバー２１が設置されている。上記集塵フィルタ用カバー２１は、その一端を側面板３に取り付けられた係合部２３に係合させた状態でファスナー２５によって固定されるように構成されている。又、上記集塵機フィルタ用カバー２１は多孔板によって構成されている。
【００１０】
上記側面板３、３の内一方の側面板３の外側にはスイッチ２７が設置されていて、このスイッチ２７を「オン」することにより、駆動モータ１７を起動させるものである。又、図２に示すように、上記一方の側面板３には差込プラグ２９を備えたコード３１が貫通・配置されている。又、上記一対の側面板３、３には取っ手３３、３３が取り付けられている。
【００１１】
以上の構成を基にその作用を説明する。
例えば、任意のテーブル上において、プラモデルに対して、エアーブラシを使用して塗装を施す場合を例に挙げて説明する。その場合には、まず、そのテーブル上に本実施の形態による集塵機を設置する。それによって、まず、作業空間が区画・形成される。すなわち、集塵機本体１によって囲まれた空間がそのまま作業空間として区画・形成されることになる。
【００１２】
次に、スイッチ２７を「オン」する。これによって、駆動モータ１７が起動して集塵ファン１５が回転する。それによって、図１、図２中矢印ａで示す方向の気流が発生し、区画・形成された作業空間内で発生したミスト等が効果的に吸引され、集塵フィルタ１９に捕集される。浄化された空気は上記集塵フィルタ１９と集塵フィルタ用カバー２１を介して室内に排気される。
【００１３】
以上本実施の形態によると次のような効果を奏することができる。
まず、任意のテーブルにおいて各種作業を行っている場合に、そこに本実施の形態による集塵機を持ち込んで設置するだけで、作業空間を区画・形成することができ、且つ、必要な集塵機能を発揮させることができる。よって、例えば、自室内のテーブル上にてプラモデルにエアーブラシによって塗装を施そうとするような場合にも、そのテーブル上に本実施の形態による集塵機を設置すれば容易に対応することができるものである。
又、構成も簡単であるのでコスト的にも好ましい。
又、手前側には透明カバー２１が設置されているので、作業空間内に手を差し入れて各種作業を行う場合にも好都合である。又、透明カバー２１の取付位置も変更可能であるので、作業内容に応じた最適な位置に透明カバー２１を取り付けることができる。
又、一対の側面板３、３の手前側は傾斜していて、そこに透明カバー９が設置されているので、作業空間と作業者の目の位置が近くなり、それによって、作業性が向上するものである。
又、透明カバー９の下端には垂直透明カバー１３が設置されているので、作業空間内で発生した粉塵等の外部への流出を確実に防止することができる。
又、集塵フィルタ１９の再生・交換作業も簡単である。すなわち、ファスナー２５を外すだけで集塵フィルタ１９の取り出しができるからである。
又、底板１２には吸気孔１４が形成されていて、そこには手入れ防止金網１６が取り付けられているので安全性も高いものである。
【００１４】
尚、本考案は前記一実施の形態に限定されるものではない。
まず、前記一実施の形態の場合には、エアーブラシを使用した塗装作業を例に挙げて説明したが、それに限定されるものではなく、様々な作業が想定される。
例えば、ネールアート用の集塵機として構成することも考えられる。この場合には、図７に仮想線で示すように、背面板５の下部に開口部４１を形成し、そこからネールアートを施してもらう人が前方の作業区間内に手を差し入れる。一方、作業空間側にはネールアートを施す技術者がおり、背面側から作業空間内に差し入れられた手の爪に所望のネールアートを施すものである。このように構成することにより、ネールアートを施す際に発生する粉塵、塗料ミスト等を効果的に吸引・除去することができる。昨今、ネールアート時の粉塵等による健康被害が増大しており、よって、本考案による集塵機を使用することによりそのような健康被害の増大に有効に対処することができる。
尚、上記開口部４１を形成する代わりに、全体を嵩上げして手を差し入れる隙間を系セするような構成も想定される。
その他、図示した構成はあくまで一例である。
【図面の簡単な説明】
【００１５】
【図１】本考案の一実施の形態を示す図で、集塵機の構成を示す斜視図である。
【図２】本考案の一実施の形態を示す図で、集塵機の構成を示す平面図である。
【図３】本考案の一実施の形態を示す図で、図２のＩＩＩ−ＩＩＩ矢視図である。
【図４】本考案の一実施の形態を示す図で、図３のＩＶ−ＩＶ矢視図である。
【図５】本考案の一実施の形態を示す図で、図２のＶ―Ｖ矢視図である。
【図６】本考案の一実施の形態を示す図で、図２のＶＩ−Ｖ矢視図である。
【図７】本考案の一実施の形態を示す図で、図２のＶＩＩ−ＶＩＩ矢視図である。
【図８】本考案の一実施の形態を示す図で、図２のＶＩＩＩ−ＶＩＩＩ断面図である。
【図９】本考案の一実施の形態を示す図で、図２のＩＸ−ＩＸ断面図である。
【符号の説明】
【００１６】
１  集塵機本体
３  側面板
５  背面板
７  天井板
９  透明カバー
１１  仕切板
１３  透明垂直カバー
１５  集塵ファン
１７  駆動モータ
１９  集塵フィルタ
２１  集塵フィルタ用カバー
【図１】
0003149081.tif 000003
【図２】
0003149081.tif 000004
【図３】
0003149081.tif 000005
【図４】
0003149081.tif 000006
【図５】
0003149081.tif 000007
【図６】
0003149081.tif 000008
【図７】
0003149081.tif 000009
【図８】
0003149081.tif 000010
【図９】
0003149081.tif 000011